(57)【特許請求の範囲】
【請求項１】
車体の荷物室から車幅方向に沿って拡張自在に設置された拡幅部を備え、該拡幅部に基づく拡幅機能を有する車両において、
前記拡幅部の前後位置にそれぞれシャッター式の側壁部材を備え、該側壁部材の一端が前記車体側に接続され、前記側壁部材の他端が前記拡幅部に搭載された巻き取り装置に接続され、該巻き取り装置が前記側壁部材を巻き取り方向に付勢していることを特徴とする拡幅機能を有する車両。
【請求項２】
前記拡幅部は、該拡幅部の枠組みを構成する枠部材と、該枠部材の車幅方向外側位置に装着された外壁と、該枠部材の天井位置に装着された天井壁と、前記枠部材の床位置に設置された折り畳み式の床部材とを備えることを特徴とする請求項１に記載の拡幅機能を有する車両。
【請求項３】
前記枠部材の床下部分が前記荷物室の床下に収容される構造を有することを特徴とする請求項２に記載の拡幅機能を有する車両。
【請求項４】
前記巻き取り装置が、前記側壁部材を巻き取る巻き取りローラと、該巻き取りローラに対して一方向の回転力を与えるスプリングとを備えることを特徴とする請求項１〜３のいずれかに記載の拡幅機能を有する車両。
【発明の詳細な説明】
【技術分野】
【０００１】
本発明は、拡幅機能を有する車両に関し、更に詳しくは、少ない構成部品で拡幅部を構成することを可能にすると共に、拡幅部の拡縮作業を円滑に行うことを可能にした拡幅機能を有する車両に関する。
【背景技術】
【０００２】
従来、災害発生時に現場での活動を支援するために、拠点機能形成車と呼ばれる拡幅機能を有する車両が使用されている。このような拡幅機能を有する車両は、車体の荷物室から車幅方向に沿って拡張自在に設置された拡幅部を備え、その拡幅部が荷物室から突き出した状態でより広い空間を形成するように構成されている。そして、拡幅部に基づいて拡張された空間に現地指揮本部等が設置されるのである。
【０００３】
上述のような拡幅機能を有する車両において、拡幅部が外壁及び天井壁に加えて側壁や床板を一体的に備えた箱型の構造を有していると、拡幅部を荷物室内に収納した際に、拡幅部の床板が荷物室内の荷物と干渉し、また、拡幅部の側壁が荷物室の後部に配設された扉部分を塞ぐことになる。そのため、そのような不都合を回避するために、拡幅部を荷物室内に収納する際に床板や側壁が折り畳まれる構造が採用されている（例えば、特許文献１〜３参照）。
【０００４】
例えば、特許文献１においては、拡幅部の床板として折り畳み式の一対の主拡幅板を使用し、拡幅部の前後の側壁として折り畳み式の一対の壁用拡幅板を使用し、拡幅部が荷物室内に収納された状態では一対の主拡幅板及び一対の壁用拡幅板がそれぞれ折り畳まれた状態で保持され、拡幅部が荷物室から突き出した状態では一対の主拡幅板及び一対の壁用拡幅板がそれぞれ開いた状態となる。また、拡幅部の前後において壁用拡幅板を折り畳んだ状態で保持する空間を確保するために、床板を構成する主拡幅板の長さは拡幅部の長さよりも短くすることが必要であり、それ故、拡幅部の前後において床板の一部に隙間が形成されることになる。そこで、特許文献１においては、一対の壁用拡幅板の下端部に折り畳み式の床用拡幅板が連結された構造を採用している。このような床用拡幅板は主拡幅板及び壁用拡幅板を開いた後で壁用拡幅板と主拡幅板との隙間を埋めるように主拡幅板上に倒され、それによって拡幅部の拡張作業が完了する。
【０００５】
しかしながら、上述した従来の拡幅機能を有する車両では、床板及び側壁の双方に折り畳み式の部材を用いているため、床板を構成する主拡幅板及び側壁を構成する壁用拡幅板の他に、壁用拡幅板と主拡幅板との隙間を埋めるための床用拡幅板が必要になり、その構成部品が多いという欠点がある。しかも、床用拡幅板のような折り畳み式の部材を駆動するための更なる駆動装置を追加する必要がある。また、主拡幅板及び壁用拡幅板の拡縮動作と床用拡幅板の傾倒動作とが別々に行われるため、拡幅部の拡縮作業が煩雑である。
【先行技術文献】
【特許文献】
【０００６】
【特許文献１】特開２０１５−１８２７３７号公報
【特許文献２】特開２００１−１８０５３５号公報
【特許文献３】特開平８−８５３７８号公報
【発明の概要】
【発明が解決しようとする課題】
【０００７】
本発明の目的は、少ない構成部品で拡幅部を構成することを可能にすると共に、拡幅部の拡縮作業を円滑に行うことを可能にした拡幅機能を有する車両を提供することにある。
【課題を解決するための手段】
【０００８】
上記目的を達成するための本発明の拡幅機能を有する車両は、車体の荷物室から車幅方向に沿って拡張自在に設置された拡幅部を備え、該拡幅部に基づく拡幅機能を有する車両において、
前記拡幅部の前後位置にそれぞれシャッター式の側壁部材を備え、該側壁部材の一端が前記車体側に接続され、前記側壁部材の他端が前記拡幅部に搭載された巻き取り装置に接続され、該巻き取り装置が前記側壁部材を巻き取り方向に付勢していることを特徴とするものである。
【発明の効果】
【０００９】
本発明では、拡幅機能を有する車両において、拡幅部の前後位置にそれぞれシャッター式の側壁部材を設け、拡幅部に搭載された巻き取り装置により側壁部材を自動的に巻き取る構造を採用しているため、少ない構成部品で拡幅部を構成することが可能になる。また、シャッター式の側壁部材は拡幅部の拡縮に応じて自動的に変位するので、拡幅部の拡縮作業を円滑に行うことが可能になる。
【００１０】
本発明において、拡幅部は、該拡幅部の枠組みを構成する枠部材と、該枠部材の車幅方向外側位置に装着された外壁と、該枠部材の天井位置に装着された天井壁と、枠部材の床位置に設置された折り畳み式の床部材とを備えることが好ましい。このような構造を採用することにより、優れた拡幅機能を有する車両を提供することができる。特に、枠部材の床下部分が荷物室の床下に収容される構造を採用した場合、拡幅作業が円滑に行われることに加えて、荷物室の床に溝や蓋や突起物が生じることがないため、拡幅部の付加に起因して荷物の積み下ろし作業に支障が生じることもない。
【００１１】
また、巻き取り装置は、側壁部材を巻き取る巻き取りローラと、該巻き取りローラ対して一方向の回転力を与えるスプリングとを備えることが好ましい。これにより、簡単かつ耐久性に優れた巻き取り装置を構成することができる。
【図面の簡単な説明】
【００１２】
【図１】本発明の実施形態からなる拡幅機能を有する車両（拡幅部を収納した状態）を示す平面透視図である。
【図２】本発明の実施形態からなる拡幅機能を有する車両（拡幅部を収納した状態）を示す背面図である。
【図３】本発明の実施形態からなる拡幅機能を有する車両（拡幅部を収納した状態）を示す背面透視図である。
【図４】本発明の実施形態からなる拡幅機能を有する車両（拡幅動作状態）を示す平面透視図である。
【図５】本発明の実施形態からなる拡幅機能を有する車両（拡幅動作状態）を示す背面図である。
【図６】本発明の実施形態からなる拡幅機能を有する車両（拡幅動作状態）を示す背面透視図である。
【図７】本発明の実施形態からなる拡幅機能を有する車両（拡幅完了状態）を示す平面透視図である。
【図８】本発明の実施形態からなる拡幅機能を有する車両（拡幅完了状態）を示す背面図である。
【図９】本発明の実施形態からなる拡幅機能を有する車両（拡幅完了状態）を示す背面透視図である。
【図１０】本発明における巻き取り装置を構成する巻き取りローラ及びスプリングを示す断面図である。
【図１１】図１０の要部を拡大して示す断面図である。
【図１２】本発明における他の巻き取り装置を構成する巻き取りローラ及びスプリングを示す機構図である。
【発明を実施するための形態】
【００１３】
以下、本発明の構成について添付の図面を参照しながら詳細に説明する。図１〜図１２は本発明の実施形態からなる拡幅機能を有する車両を示すものである。
【００１４】
図１〜図９に示すように、この車両は、車体１の前方側に運転室２を備えると共に、車体１の後方側に箱型の荷物室３を備えている。また、車体１の下部には複数本のタイヤ４が装着されている。荷物室３の後部には上下方向に開閉するシャッター式の扉５が設置されている。つまり、この車両は荷物室３に対して後方から荷物を積み込むことを可能にしたウォークスルー構造を有している。
【００１５】
荷物室３には、車幅方向に沿って拡張自在である拡幅部１０が設置されている。拡幅部１０は、その枠組みを構成する枠部材１１を備えている。枠部材１１は、拡幅部１０の前後位置（即ち、車両進行方向の前後位置）で車幅方向に延長する一対の下側アーム部材１１Ａと、拡幅部１０の前後位置で車幅方向に延長する一対の上側アーム部材１１Ｂとを含んでいる。下側アーム部材１１Ａは車体１において荷物室３の下側に収納され、不図示の駆動装置により車幅方向に進退自在に保持されている。一方、上側アーム部材１１Ｂは荷物室３の上部において車幅方向に延長するように設置されたレール１２に沿って摺動自在に構成されている。そのため、下側アーム部材１１Ａを車幅方向に進退させることにより、枠部材１１の全体が車幅方向に進退するようになっている。
【００１６】
枠部材１１の車幅方向外側位置には外壁１３が装着されている。この外壁１３は拡幅部１０が荷物室３に収納された状態にあるとき荷物室３の外壁部材としても機能する。また、枠部材１１の天井位置には天井壁１４が装着されている。天井壁１４は拡幅部１０が荷物室３に収納された状態にあるとき荷物室３内に収容される。更に、枠部材１１の床位置には折り畳み式の床部材１５が設置されている。床部材１５は、一対の床板１５Ａ，１５Ｂと、これら床板１５Ａ，１５Ｂを互いに連結する複数のヒンジから構成されている。そして、一方の床板１５Ａの外端部が複数のヒンジを介して車体１の荷物室３の床位置に連結され、他方の床板１５Ｂの外端部が複数のヒンジを介して拡幅部１０の床位置に連結されている。一対の床板１５Ａ，１５Ｂは拡幅部１０が荷物室３に収納された状態にあるとき折り畳まれて直立した状態で保持される。
【００１７】
拡幅部１０の前後位置にはそれぞれシャッター式の側壁部材２０が設置されている。各側壁部材２０は例えば上下方向に延びる複数枚の短冊状部材が互いに連結された構造を有し、その一端が車体１に接続され、その他端が拡幅部１０に搭載された巻き取り装置２１に接続されている。巻き取り装置２１は拡幅部１０の外壁１３に沿って設置されている。この巻き取り装置２１は、側壁部材２０を巻き取る巻き取りローラ２２と、側壁部材２０を側壁位置に案内するガイドローラ２３とを備え、その巻き取りローラ２２が側壁部材２０を巻き取り方向に常時付勢している。側壁部材２０としては、複数枚の短冊状部材が互いに連結された構造を有することが望ましいが、必要であれば、可撓性を有するシート材を使用することも可能である。また、図７に示すように、側壁部材２０と巻き取りローラ２１との間には連結シート２４が介在していても良い。
【００１８】
巻き取り装置２１の構成は特に限定されるものではないが、例えば、巻き取りローラ２２の駆動機構として、図１０及び図１１のような構成を採用することができる。図１０及び図１１において、巻き取りローラ２２は、巻き取りパイプ２５と、該巻き取りパイプ２５内に挿入された巻き取り芯棒２６と、巻き取りパイプ２５の一方の端部に装着されたカーラー２７とから構成されている。カーラー２７は巻き取り芯棒２６の一方の端部を摺動自在に保持する凹部２７Ａと巻き取りパイプ２５の軸方向外側に突き出した軸部２７Ｂを有している。巻き取りパイプ２５の他方の端部には絞り部２５Ａが形成され、その絞り部２５Ａにより巻き取り芯棒２６が摺動自在に保持されている。巻き取りパイプ２５の内側であって巻き取り芯棒２６の周囲にはスプリング２８が配置されている。スプリング２８は一方の端部がカーラー２７の外周部分に対して摩擦力で係合し、他方の端部が絞り込まれていて巻き取り芯棒２６の外周部分に対して摩擦力で係合している。そして、カーラー２７の軸部２７Ｂは枠部材１１に対してベアリング２９及びブラケット３０を介して回動自在に固定され、巻き取り芯棒２６の他方の端部は枠部材１１に対して固定具３１を介して回動が規制された状態で固定されている。
【００１９】
上述のような駆動機構においては、巻き取りパイプ２５を一方向に回転させると、巻き取りパイプ２５と一体化したカーラー２７を経由してスプリング２８に回転が伝わる。ここで、巻き取り芯棒２６は回動が規制された状態で固定されているので、与えられた回転力はスプリング２８に蓄えられ、その反力が側壁部材２０を巻き取るように作用する。
【００２０】
巻き取りローラ２２の駆動機構として、例えば、図１２のような構成を採用することも可能である。図１２において、巻き取り装置２１は、側壁部材２０を巻き取る巻き取りローラ２２と、該巻き取りローラ２２の軸端に該巻き取りローラ２２に対して同軸的に装着されたピニオン３６と、該ピニオン３６に対して噛み合うラック３７と、該ラック３７を一方向に引っ張るスプリング３８とから構成されている。この場合、スプリング３８の弾性復元力Ｆ１に基づいて巻き取りローラ２２には一方向の回転力Ｆ２が与えられる。
【００２１】
次に、上述した拡幅機能を有する車両における拡幅作業について説明する。先ず、図１〜図３に示すように、車両の走行時、停車時及び駐車時において、拡幅部１０は荷物室３内に収納された状態にある。このとき、折り畳み式の床部材１５は荷物室３内で折り畳まれた状態にあり、シャッター式の側壁部材２０は巻き取り装置２１により巻き取られた状態にある。また、拡幅部１０が荷物室３内に収納された状態において、荷物室３の後方の扉５を介して荷物の積み下ろしが可能である。
【００２２】
例えば、上述した車両を災害発生時に現地指揮本部等として使用する場合、図４〜図６に示すように、拡幅部１０の拡張作業を行う。この場合、不図示の駆動装置により下側アーム部材１１Ａを車幅方向外側へ移動させ、拡幅部１０を荷物室３から車幅方向外側へ突出させる。拡幅部１０が車幅方向に変位すると、それに伴って折り畳み式の床部材１５が開くと共に、巻き取り装置２１に巻き取られた状態にある側壁部材２０が徐々に引き出される。
【００２３】
図７〜図９に示すように、拡幅部１０の拡張作業が完了すると、折り畳み式の床部材１５は実質的に水平方向に開いた状態になり、側壁部材２０はその全体が巻き取り装置２１から引き出された状態になる。これにより、拡幅部１０は荷物室３から突き出した状態で荷物室３と連続した広い空間を形成する。また、拡幅部１０を荷物室３内に収納する場合、不図示の駆動装置により下側アーム部材１１Ａを車幅方向内側へ移動させ、拡幅部１０を荷物室３内に移動させる。その際、折り畳み式の床部材１５は自動的に折り畳まれ、側壁部材２０は巻き取り装置２１により自動的に巻き取られる。
【００２４】
上述した拡幅機能を有する車両によれば、拡幅部１０の前後位置にそれぞれシャッター式の側壁部材２０を設け、拡幅部１０に搭載された巻き取り装置２１により側壁部材２０を自動的に巻き取る構造を採用しているため、少ない構成部品で拡幅部１０を構成することが可能になる。つまり、従来のように折り畳み式の部材だけに依存した場合、多数の部材を必要とし、それらを個別に駆動するための駆動装置が必要になるが、上記構成によれば、構成部品の点数を減らし、その駆動装置も減らすことができる。しかも、シャッター式の側壁部材２０は拡幅部１０の拡縮に応じて自動的に変位するので、拡幅部１０の拡縮作業を円滑に行うことができる。つまり、従来のように折り畳み式の部材だけに依存した場合、拡縮動作を多段階に分けて行う必要があるが、上記構成によれば、拡幅部１０の移動と同時に側壁部材２０の引き出し又は巻き取りを行うことができる。
【００２５】
また、上述した拡幅機能を有する車両では、拡幅部１０が枠部材１１と外壁１３と天井壁１４と折り畳み式の床部材１５とを備え、枠部材１１の下側アーム部材１１Ａを含む床下部分が荷物室３の床下に収容される構造を採用しているため、拡幅作業が円滑に行われることに加えて、荷物室３の床に溝や蓋や突起物が生じることがないため、拡幅部１０の付加に起因して荷物の積み下ろし作業に支障が生じることもない。
【００２６】
上述した実施形態では、本発明の主要部について説明したが、他の部分の構成は特に限定されるものではなく、拡幅機能を有する車両を有効に機能させるための任意の構造を採用することができる。例えば、拡幅部１０の片持ち構造を安定化させるために拡幅部１０に脚部を付設したり、或いは、車体１に拡幅部１０と共に車幅方向外側に突き出す脚部を設けたりすることが可能である。
【符号の説明】
【００２７】
１  車体
２  運転室
３  荷物室
４  タイヤ
５  扉
１０  拡幅部
１１  枠部材
１１Ａ  下側アーム部材
１１Ｂ  上側アーム部材
１２  レール
１３  外壁
１４  天井壁
１５  床部材
１５Ａ，１５Ｂ  床板
２０  側壁部材
２１  巻き取り装置
２２  巻き取りローラ
２８，３８  スプリング
【図１】
0006650353.tif 000002
【図２】
0006650353.tif 000003
【図３】
0006650353.tif 000004
【図４】
0006650353.tif 000005
【図５】
0006650353.tif 000006
【図６】
0006650353.tif 000007
【図７】
0006650353.tif 000008
【図８】
0006650353.tif 000009
【図９】
0006650353.tif 000010
【図１０】
0006650353.tif 000011
【図１１】
0006650353.tif 000012
【図１２】
0006650353.tif 000013